(57)【要約】  【課題】仕切り板の熱伝導ロスを少なくし、キャビネット内の加温室と冷却室の間での熱ロスを抑えて、有効な断熱効果を維持することができる自動販売機を提供する。  【解決手段】仕切り板本体２の断面構造で仕切り板本体２の前面部を硬質の樹脂材料のガスケット１６で覆い、前記前面部と硬質の樹脂材料のガスケット１６で仕切り板本体２の前面部の一部から側面部にかけて第一のＬ字型固定部材１７で覆うことで、前枠部品の熱伝導を防止することができ省エネの自動販売機を提供することができる。【選択図】図２
2006285730.tif 000002
【特許請求の範囲】
【請求項１】
自動販売機本体の前面開口部を仕切る仕切り板の断面構造で仕切り板前面部をガスケットで覆い、前記前面部とガスケットの間で仕切り板前面部の一部から側面部にかけて第一のＬ字型固定部材で覆うことを特徴とした自動販売機。
【請求項２】
前記ガスケット前面と内扉のシール面に軟質の樹脂材料のガスケットを複数配置したことを特徴とした自動販売機。
【請求項３】
前記仕切り板部で自動販売機本体側の背面、底面、天面に配置した第一の断熱材の少なくとも一つを分割してブロック状に組み合わせて形成し、仕切り板とのシールを仕切り板の表面からひれ状に出した部材で構成したことを特徴とした請求項１または２に記載の自動販売機。
【請求項４】
前記切り板とシールする自動販売機本体側の背面、底面、天面に配置した第二の断熱材の少なくとも一つに第二のＬ字型固定部材を仕切り板を挟む位置に設け、その固定部材を仕切り板挿入のガイドとして挿入することを特徴とした請求項１または２に記載の自動販売機。
【請求項５】
前記切り板と自動販売機本体側の背面を一体で発泡したＴ字型の第三の断熱材を設け、自販機本体に挿入することを特徴とした請求項１または２に記載の自動販売機。
【発明の詳細な説明】
【技術分野】
【０００１】
本発明は、商品収納装置に収納された商品を冷却または加温して商品を販売するようにした自動販売機に関し、特に庫内を仕切っている断熱壁の仕切り板に関するものである。
【背景技術】
【０００２】
従来、この種の自動販売機としては、例えば、仕切り板の構造としては上枠部、下枠部及び後枠部はいずれも断面コ字状に形成されているものがあった（特許文献１参照）。
【０００３】
図７は従来の自動販売機の仕切り板の分解斜視図を示すものである。図７において、仕切り板１は、硬質ウレタンフォームの仕切り板本体２、この仕切り板本体２を補強するための上枠３、下枠４、後枠５、前枠６、前枠６に取り付けたパッキン７から構成されている。
【特許文献１】特開２００２−３２８４２号公報
【発明の開示】
【発明が解決しようとする課題】
【０００４】
しかしながら、前記従来の構成では、仕切り板本体の補強枠がコ字状であり、仕切り板を挟んだ二つの庫内を冷却と加温にした場合、補強枠の熱伝導ロスという問題があった。
【０００５】
本発明は、上記従来の課題を解決するもので、熱伝導ロスの少ない自動販売機を提供することを目的とする。
【課題を解決するための手段】
【０００６】
前記従来の課題を解決するために、本発明の自動販売機は、仕切り板の断面構造で仕切り板前面部をガスケットで覆い、前記前面部とガスケットの間で仕切り板前面部の一部から側面部にかけて第一のＬ字型固定部材で覆うことで、前枠部品の熱伝導を防止することができる。
【発明の効果】
【０００７】
本発明の自動販売機は、仕切り板を挟んだ二つの庫内を冷却と加温にして温度差がある場合においても、前枠部品を通した熱伝導を防止し、消費電力量の低減すなわち省エネを行うことができる。
【発明を実施するための最良の形態】
【０００８】
請求項１に記載の発明は、切り板の断面構造で仕切り板前面部をガスケットで覆い、前記前面部とガスケットの間で仕切り板前面部の一部から側面部にかけて第一のＬ字型固定部材で覆うことにより仕切り板を挟んだ二つの庫内を冷却と加温にして温度差がある場合においても、前枠部品を通した熱伝導を防止することができる。
【０００９】
請求項２に記載の発明は、前記ガスケット前面と内扉のシール面に軟質部を複数設けることにより、仕切り板と内扉及びローディング扉のシール性を向上し庫内手前側の冷却庫内と加温庫内の熱リークを低減できる。
【００１０】
請求項３に記載の発明は前記仕切り板部で自動販売機本体側の背面、底面、天面に配置した第一の断熱材の少なくとも一つを分割してブロック状に組み合わせて形成し、仕切り板とのシールを仕切り板の表面からひれ状に出した部材を設けることにより、仕切り板と自動販売機本体側の背面、底面、天面とのシール性を向上し、冷却庫内と加温庫内の熱リークを低減できる。
【００１１】
請求項４に記載の発明は、切り板とシールする自動販売機本体側の背面、底面、天面に配置した第二の断熱材の少なくとも一つに第二のＬ字型固定部材を仕切り板を挟む位置に設けることにより、仕切り板周囲のシール性向上と仕切り板挿入の作業性向上ができる。
【００１２】
請求項５に記載の発明は、前記切り板と自動販売機本体側の背面を一体で発泡したＴ字型のウレタン発泡断熱部品を設けることにより、仕切り板と本体背面のシール性を向上できる。
【００１３】
（実施の形態１）
図１は、本発明の実施の形態１による自動販売機のメインドアを開いた状態の斜視図である。
【００１４】
図１において断熱構造のキャビネット８で、このキャビネット８は前面が開放する箱状をなし、このキャビネット８の前にメインドア９と内扉１０が取り付けられている。またメインドア９の上部にはローディング扉１１が取り付けられている。
【００１５】
一方キャビネット８内には仕切り板１が二枚互いに対向して設けられ、これら仕切り板１によりキャビネット８内が仕切り板１の相互間の加温室１２と、一方の仕切り板１の左側の冷却室１３と他方の仕切り板１の右側の冷却室１４との三室に仕切られている。
【００１６】
そしてこれら加温室１２と冷却室１３、１４内にそれぞれ例えばサーペンタイン形のコラム１５が設けられ、これらコラム１５内に所定の商品が収納されている。
【００１７】
加温室１２のコラム内に収納された各商品は加温手段（図示せず）により保温され、冷却室１３、１４のコラム内に収納された各商品は冷却手段により保冷される。
【００１８】
図２には本実施の形態よる自動販売機の仕切り板本体の構造を示してあり、（ａ）は仕切り板の分解斜視図、（ｂ）は仕切り板の平面断面図である。
【００１９】
この仕切り板１は前面を長手方向に硬質の樹脂材料のガスケット１６で覆い、前面部と硬質の樹脂材料のガスケット１６の間で仕切り板１の前面部の一部から側面部にかけて第一のＬ字型固定部材１７とで構成されている。仕切り板本体２は硬質プラスチックフォームのスラブ材または硬質プラスチックフォームを注入して発泡形成した発泡樹脂である。
【００２０】
このように構成された自動販売機は、開閉自在の内扉１０で塞がれ、その内部に設けた冷却装置（図示せず）と加温装置（図示せず）により、冷却室１３、１４と加温室１２は所定の温度で保存することができ、仕切り板本体に設けたＬ字型固定部材が仕切り板前面の熱伝導を抑えて、仕切り板１で仕切られたキャビネット８内の加温室１２と冷却室１３、１４との間での熱ロスを抑えて、有効な断熱効果を維持することができる。
【００２１】
（実施の形態２）
図３は、本発明の実施の形態２による自動販売機の仕切り板の平面断面図である。
【００２２】
図３において、軟質の樹脂材料のガスケット１８は硬質の樹脂材料のガスケット１６の前方に二本長手方向に平行して設けおり、断面はほぼ半円状をなす中空状に形成されている。
【００２３】
このように構成された自動販売機は、開閉自在の内扉１０で塞がれ、その内部に設けた冷却装置（図示せず）と加温装置（図示せず）により、冷却室１３、１４と加温室１２は所定の温度で保存することができ、軟質の樹脂材料のガスケット１８を設けることにより内扉１０及びローディング扉１１をキャビネット８の前面に閉じ合わせたときに、これら内扉１０及びローディング扉１１が前記軟質の樹脂材料のガスケット１８に接触し、シール性を向上させ、キャビネット８内の加温室１２と冷却室１３、１４が密閉され、加温室１２と冷却室１３、１４の熱リークを低減できる。
【００２４】
また、本実施の形態の軟質の樹脂材料のガスケット１８を複数本にすることで加温室１２と冷却室１３、１４が密閉され、加温室１２と冷却室１３、１４との間での熱リークをさらに低減できる。
【００２５】
（実施の形態３）
図４の（ａ）は、本発明の実施の形態３による自動販売機の断熱構造の分解斜視図である。図４の（ｂ）は、本発明の実施の形態３による自動販売機の断熱構造の平面断面図である。
【００２６】
図３において第一の断熱材１９は、硬質プラスチックフォームのスラブ材または硬質プラスチックフォームを注入して発泡形成した発泡樹脂である。仕切り板１は互いの第一の断熱材１９との間に仕切り板１の幅寸法と同寸法で形成された隙間に組み込むようにする。
【００２７】
仕切り板本体２の両側の表面には紙系の面材または樹脂系の面材を設けその面材に切れ込みを入れることでひれ２０を設け、第一の断熱材１９と接触するようにする。
【００２８】
このように構成された自動販売機は、開閉自在の内扉１０で塞がれ、その内部に設けた冷却装置（図示せず）と加温装置（図示せず）により、冷却室１３、１４と加温室１２は所定の温度で保存することができ、第一の断熱材１９と仕切り板１をブロック状に組み合わせ、ひれ２０を設けることで第一の断熱材１９と仕切り板１のシール性を向上させ、キャビネット８内の加温室１２と冷却室１３、１４が密閉され、加温室１２と冷却室１３、１４との間での熱リークを低減できる。
【００２９】
また、本実施の形態の第一の断熱材はキャビネット８の背面、底面、天面いずれにも適用することにより、仕切り板周囲全体のシール性を向上でき、加温室１２と冷却室１３、１４が密閉され、加温室１２と冷却室１３、１４との間での熱リークをさらに低減できる。
【００３０】
（実施の形態４）
図５の（ａ）は、本発明の実施の形態４による自動販売機の断熱構造の分解斜視図である。図５の（ｂ）は、本発明の実施の形態４による自動販売機の断熱構造の平面断面図である。
【００３１】
図５において第二の断熱材２１は、硬質プラスチックフォームのスラブ材または硬質プラスチックフォームを注入して発泡形成した発泡樹脂である。仕切り板１は互いの第一の断熱材２１との間に仕切り板１の幅寸法と同寸法で形成された隙間に組み込むようにする。
【００３２】
第一の断熱材２１の表面に第二のＬ字型固定部材２２を仕切り板１を挟む位置に設け、仕切り板１と接触するようにする。
【００３３】
このように構成された自動販売機は、開閉自在の内扉１０で塞がれ、その内部に設けた冷却装置（図示せず）と加温装置（図示せず）により、冷却室１３、１４と加温室１２は所定の温度で保存することができ、第二の断熱材２１と仕切り板１をブロック状に組み合わせ、第二のＬ字型固定部材２２を設けることで第二の断熱材２１と仕切り板１のシール性を向上させ、キャビネット８内の加温室１２と冷却室１３、１４が密閉され、加温室１２と冷却室１３、１４との間での熱リークを低減できる。
【００３４】
また、本実施の形態の第一の断熱材はキャビネット８の背面、底面、天面いずれにも適用することにより、仕切り板周囲全体のシール性を向上でき、加温室１２と冷却室１３、１４が密閉され、加温室１２と冷却室１３、１４の熱リークをさらに低減できる。
【００３５】
（実施の形態５）
図６は、本発明の実施の形態５による自動販売機の断熱構造の斜視図である。
【００３６】
図６において第三の断熱材２３は切り板１と自動販売機本体側の背面を一体で発泡したＴ字型の断熱材であり、硬質プラスチックフォームのスラブ材または硬質プラスチックフォームを注入して発泡形成した発泡樹脂である。
【００３７】
このように構成された自動販売機は、開閉自在の内扉１０で塞がれ、その内部に設けた冷却装置（図示せず）と加温装置（図示せず）により、冷却室１３、１４と加温室１２は所定の温度で保存することができ、一体で発泡したＴ字型の断熱材を設けることで仕切り板１の周囲のシール性を向上させ、キャビネット８内の加温室１２と冷却室１３、１４が密閉され、加温室１２と冷却室１３、１４との間での熱リークを低減できる。
【産業上の利用可能性】
【００３８】
以上のように、本発明にかかる自動販売機は、仕切り板を挟んだ二つの庫内を冷却と加温にして温度差がある場合においても、前枠部品を通した熱伝導を防止し、省エネルギー化を図ることができるので、自動販売機に限らず、隣接する二室を備えた冷却、加温機器にも適用できる。
【図面の簡単な説明】
【００３９】
【図１】本発明の実施の形態１における自動販売機のメインドアを開いた状態の斜視図
【図２】（ａ）本発明の実施の形態１における自動販売機の仕切り板の分解斜視図（ｂ）本発明の実施の形態１における自動販売機の仕切り板の平面断面図
【図３】本発明の実施の形態２における自動販売機の仕切り板の平面断面図
【図４】（ａ）本発明の実施の形態３における自動販売機の断熱構造の分解斜視図（ｂ）本発明の実施の形態３における自動販売機の断熱構造の平面断面図
【図５】（ａ）本発明の実施の形態４における自動販売機の断熱構造の分解斜視図（ｂ）本発明の実施の形態４における自動販売機の断熱構造の平面断面図
【図６】本発明の実施の形態５における自動販売機の断熱構造の斜視図
【図７】従来の自動販売機の仕切り板の分解斜視図
【符号の説明】
【００４０】
１    仕切り板
１０  内扉
１７  第一のＬ字型固定部材
１８  軟質の樹脂材料のガスケット
１９  第一の断熱材
２０  ひれ
２１  第二の断熱材
２２  第二のＬ字型固定部材
２３  第三の断熱材
【図１】
2006285730.tif 000003
【図２】
2006285730.tif 000004
【図３】
2006285730.tif 000005
【図４】
2006285730.tif 000006
【図５】
2006285730.tif 000007
【図６】
2006285730.tif 000008
【図７】
2006285730.tif 000009